(57)【要約】      （修正有）【課題】ＴＤＤ  ＵＬ−ＤＬ構成のフレキシブル割り当てをサポートするアドバンスト無線通信システムの制御信号を使用する方法を提供する。【解決手段】ＨＡＲＱバンドリングが用いられる場合には、ＤＬ  ＳＰＳリリースを示すＰＤＣＣＨ／ＥＰＤＣＣＨ伝送及び関連するＰＤＣＣＨ／ＥＰＤＣＣＨと共にするＰＤＳＣＨ伝送は、ＵＬグラントが搬送されたＤＬ連携セットのサブフレームより後ではない、ＤＬ連携セット内のＤＬ及び／またはスペシャルフレームのみにスケジューリングされる。ＨＡＲＱ−ＡＣＫ多重化が用いられる場合には、ＤＬアサインインデックスの値は、ＤＬ連携セットのサブフレームの数をセットされる。クロスサブフレームスケジューリングも用いられる。【選択図】図４
2018191313.tif 000002
【特許請求の範囲】
【請求項１】
時分割多重（TDD）アップリンク−ダウンリンク（UL-DL）構成のフレキシブル割り当てをサポートし、ハイブリッド自動再送要求−確認応答（HARQ-ACK）バンドルを用いる無線通信システムに用いられるためのシグナリング方法であって、前記方法は、
所定の無線フレームで複数のTDD UL-DL構成の一つを使用に割り当て、所定のTDD UL-DL構成は、
ULサブフレームは、前記所定の無線フレーム及び／または以前の無線フレームで１以上のDL及び/またはスペシャルサブフレームのためにHARQ-ACKフィードバックを搬送し、
DL連携セットは、前記ULサブフレームで搬送されるHARQ-ACKフィードバックのための前記１以上のDL及び／またはスペシャルサブフレームを備え、
前記サブフレームでのULグラントは、DL連携セット内の前記DL及び／またはスペシャルフレームの一つで送信され、
前記方法は、
・半永続スケジューリング（SPS：semi-persistent scheduling）リリースで示される（拡張）物理ダウンリンク制御チャネル（PDCCH/EPDCCH）伝送、及び／または
・PDCCH/EPDCCHに対応する物理ダウンリンク共通チャネル（PDSCH）伝送を、
ULグラントが搬送された前記サブフレームより後ではない、前記DL連携セット内のDL及び／またはスペシャルフレームのみにスケジューリングする。
【請求項２】
前記ULグラントが搬送されたサブフレームより後ではない前記DL連携セット内のサブフレーム、及び／または前記ULグラントのサブフレーム後の前記DL連携セット内のサブフレームにSPS PDSCH伝送をスケジューリングすることを更に備える請求項１に記載の方法。
【請求項３】
前記無線通信システムは、アドバンスト基地局（eNB）、１以上のアドバンストユーザ装置（UE）、１以上のレガシーUEを備え、前記方法は、
アドバンストUEに、フレシキブルTDD割り当てに従って処理されたTDD UL-DL構成を割り当て、
レガシーUEに、long-termTDD割り当てに従って処理された前記TDD UL-DL構成を割り当て、レガシーUEに割り当てた前記TDD UL-DL構成は、アドバンストUEに割り当てたTDD UL-DL構成と、同じまたは異なる請求項１に記載の方法。
【請求項４】
所定のサブフレームでのPDSCH伝送において、当該PDSCHに関連づけられた、前記対応するPDCCH/EPDCCHは、異なるサブフレームで送信される、クロスサブフレームスケジューリングを更に備える請求項１に記載の方法。
【請求項５】
eNBとアドバンストUEとの間のシグナリングに用いられるTDD UL-DL構成の、基地局（eNB）によるフレキシブル割り当てをサポートし、HARQ-ACK多重化を用いる無線通信システムに用いられるためのシグナリング方法であって、前記方法は、
所定の無線フレームで複数のTDD UL-DL構成の1つを使用に割り当て、
ULサブフレームは、前記所定の無線フレーム及び／または以前の無線フレームで前記複数のDL及び／またはスペシャルサブフレームのためにHARQ-ACKフィードバックを搬送し、
DL連携セットは、前記ULサブフレームで搬送されるHARQ-ACKフィードバックのための複数のDL及び／またはスペシャルサブフレームを備え、
前記サブフレームでのULグラントは、前記DL連携セット内の前記DL及び／またはスペシャルフレームの一つで送信され、
前記方法はさらに、
前記DL連携セット内のサブフレーム数をDL割り当てインデックス
【数１】
2018191313.tif 000056
の値にセットし、
前記DL連携セット内のDL SPSリリースを示すPDCCH/EPDCCH伝送で期待されるサブフレームの総数を示す
【数２】
2018191313.tif 000057
を、前記ULグラントで前記eNBから前記アドバンストUEに、伝送する。
【請求項６】
前記UEは、前記ULサブフレームで送信される、HARQ-ACKフィードバックビット
【数３】
2018191313.tif 000058
及び前記HARQ-ACKフィードバックビット
【数４】
2018191313.tif 000059
の数を決定し、
前記UEによって受け取られる、対応するPDCCH/EPDCCHのないどんなSPS PDSCH伝達のためにでも
UEが受信した、対応するPDCCH/EPDCCHのない、いずれのSPS PDSCH伝送においても、前記連携するHARQ-ACKフィードバックビットが
【数５】
2018191313.tif 000060
にマッピングされ、そして
前記UEがDL SPSリリースを示すPDSCHまたはPDCCH/EPDCCHを検出していない、いずれのDL及び／またはスペシャルフレームにおけるHARQ-ACKフィードバックビットも、NACKが送信される請求項５に記載の方法。
【請求項７】
１以上のアドバンストUEが存在し、前記無線通信システムがさらに１以上のレガシーUEを備え、
アドバンストUEに、フレシキブルTDD割り当てに従って処理されたTDD UL-DL構成を割り当て、前記方法は更に、
レガシーUEに、long-termTDD割り当てに従って処理されたTDD UL-DL構成を割り当て、レガシーUEに割り当てた前記TDD UL-DL構成は、アドバンストUEに割り当てた前記TDD UL-DL構成と、同じまたは異なる請求項５に記載の方法。
【請求項８】
所定のサブフレームでのPDSCH伝送において、当該PDSCHに関連づけられた、前記対応するPDCCH/EPDCCHは、異なるサブフレームで送信される、クロスサブフレームスケジューリングを更に備える請求項５に記載の方法。
【請求項９】
TDD UL-DL構成のフレキシブル割り当てをサポートする無線通信システムに用いられるためのシグナリング方法であって、前記方法は、所定のサブフレームでのPDSCH伝送において、当該PDSCHに関連づけられた、前記対応するPDCCH/EPDCCHは、異なるサブフレームで送信される、クロスサブフレームスケジューリングを備える。
【請求項１０】
所定の無線フレームで複数のTDD UL-DL構成の一つを使用に割り当て、前記TDD UL-DL構成は、
ULサブフレームは、前記所定の無線フレーム及び／または以前の無線フレームで１以上のDL及び/またはスペシャルサブフレームのためにHARQ-ACKフィードバックを搬送し、
DL連携セットは、前記ULサブフレームで搬送されるHARQ-ACKフィードバックのための１以上のDL及び／またはスペシャルサブフレームを備え、
前記ULサブフレームでのULグラントは、前記DL連携セット内の前記DL及び／またはスペシャルフレームの一つで送信される、請求項９に記載の方法。
【請求項１１】
前記ULグラントのサブフレーム後の前記DL連携セット内のサブフレームでのPDSCH伝送において、PDSCH伝送に連携する、前記対応するPDCCH/EPDCCHは、クロスサブフレームスケジューリングされ、前記ULグラントのサブフレームより後ではない前記DL連携セット内のサブフレームで送信される請求項１０に記載の方法。
【請求項１２】
前記ULグラントでDL割当てインデックス
【数６】
2018191313.tif 000061
を送信し、
【数７】
2018191313.tif 000062
は、前記DL連携セットでアドバンストUEに送信された下記の総回数を示す請求項１０に記載の方法、
(i)PDSCH伝送
(ii)前記ULグラントサブフレーム後のサブフレームのPDSCHに関連し、前記ULグラントサブフレームの後ではないサブフレームでクロスサブフレームスケジューリングされたPDCCH/EPDCCH
(iii)DL SPSリリースを示すPDCCH/EPDCCH伝送。
【請求項１３】
前記DL連携セット内の所定のDLまたはスペシャルフレームは、
・前記PDSCH伝送と、前記連携するPDCCH/EPDCCHとの間のサブフレームオフセットがゼロである場合、PDCCH/EPDCCHが、前記PDSCHが同じサブフレームに含まれたPDSCH伝送と連携するようにセルフサブフレームスケジューリングされたPDCCH/EPDCCH、及び
・前記PDSCH伝送と、前記連携するPDCCH/EPDCCHとの間のサブフレームオフセットがゼロではない場合、PDCCH/EPDCCHが、前記PDSCHが異なるサブフレームにあるPDSCH伝送と連携するようにクロスサブフレームスケジューリングされたPDCCH/EPDCCHの、
いずれかまたは両方を含むことができる請求項１０に記載の方法。
【請求項１４】
新たなダウンリンク制御情報(DCI:downlink control information)は、前記サブフレームオフセットのインジケーターとして、２ビットのサブフレームインジケーターフィールド(SIF:subframe indicator field)で提供される請求項１３に記載の方法。
【請求項１５】
LTE-TDDシステムにおいて、前記２ビットのSIFは、前記サブフレームオフセットのサブフレーム数を示すことに用いられる請求項１４に記載の方法。
【請求項１６】
LTE-FDDシステムにおいて、前記２ビットのSIFは、PDSCH伝送と、クロスサブフレームスケジュールされ連携したPDCCH/EPDCCHとの間の前記サブフレームオフセットを
(i)時間オフセット
(ii) サブフレームインデックスの期間で表現されたオフセットすなわちサブフレームインデックスの差
の一方または両方で示すために用いられる請求項１４に記載の方法。
【請求項１７】
既存のDCIが用いられ、前記DCIが、セルフサブフレームスケジューリングまたはクロスサブフレームスケジューリングのいずれで用いられるかは、前記受信したDCIの巡回冗長検査(CRC:cyclic redundancy check)をマスクして決定される請求項１３に記載の方法。
【請求項１８】
PDCCH/EPDCCH復号後に、２つのマスクの１つをCRCチェックに用い、前記CRCチェックをパスした場合、前記DCIがクロスフレームスケジューリングまたはセルフサブフレームスケジューリングのいずれかを用いられたかは、前記マスクの１つが用いられていることを測定することにより、確かめることができる請求項１７に記載の方法。
【請求項１９】
前記全てのPDCCH/EPDCCHペイロードは、CRCパリティビットを計算するのに用いられ、前記PDCCH/EPDCCHペイロードの前記ビットであるa0,a1,…,aA-1、Aは前記PDCCH/EPDCCHペイロードのサイズであり、前記パリティビットは、p0,p1,…,pL-1であり、Lはパリティビットの数、
セルフサブフレームスケジューリングまたはクロスサブフレームスケジューリングを表に示すマスクx0,x1,…,x15でスクランブルをかけられたDCI内の前記CRCパリティビット、
【表１】
2018191313.tif 000063
及び関連する無線ネットワーク一時識別子(RNTI:radio network temporary identities)xrnti,0,xrnti,1, …,xrnti, ,15は、ビット列c0,c1,…cA+Lを形成し、
ここで、kが0,1,2, …,A-1においてck=ak
kがA,A+1,A+2,…,A+15においてck=(ak+xrnti,k-A+xk-A) mod 2
である請求項１８に記載の方法。
【請求項２０】
既存のDCIは、本来PUCCHの送信電力を調整する意図の2ビット送信電力制御(TPC: transmit power control)フィールドを用い、前記2ビットTPCフィールドは、クロスサブフレームスケジューリングされたPDCCH/EPDCCHに関連するPDSCHのための、前記サブフレームのオフセットまたはサブフレームの位置を示すために代わりに用いられる請求項１３に記載の方法。
【請求項２１】
既存のDCIは、前記同じDL/スペシャルフレームで伝送することができる2ビットDLアサインインデックス（DAI: DL assignment index）及び1以上のDL DCIを含み、セルフスケジューリングにおける前記DCI内の前記DAIの値は、クロスサブフレームスケジューリングにおけるDCI内の前記DL DAIより前にカウントされている請求項１３の方法。
【請求項２２】
請求項１−２１のいずれかに記載の方法に従って処理される無線通信システム。
【請求項２３】
請求項１−２１のいずれかに記載の方法を実行するために使用可能な基地局。
【発明の詳細な説明】
【技術分野】
【０００１】
本発明は、高度な無線通信ネットワーク及びシステムにおける制御信号に関する。必ずしも排他的ではないが、特に本発明は、フレキシブル時分割多重(flexible-TDD)システムにおけるDL伝送のためのダウンリンク（DL）スケジューリング及びハイブリッド自動再送要求−肯定応答（HARQ-ACK）フィードバックについての課題に関する。
【背景技術】
【０００２】
以下の略語は、ここでわかるであろう。
【表１】
2018191313.tif 000003
【０００３】
LTE無線通信システムは、コストを削減しつつ、より高速なデータ転送率とより低遅延である向上したサービスを提供することを目指している。LTE TDDシステムを採用する一つの利点は、無線フレームに非対称のUL-DLリソース割り当てが構成できることである。一般的に、DLでより多くのデータが送信される場合、より大きなDLデータ量を収容するために、無線フレームに、より多数のDLサブフレームを構成することがある。以前に提案したLTE TDDシステムでは、非対称なリソース割り当ては、以下に抜粋した3GPP TS 36.211 v 10.5.0 (2012-06)のTable 4.2-2に規定されているように、与えられた無線フレームに半固定的に構成された７つの異なるUL-DLサブフレーム構成を提供することにより実現される。
【表２】
2018191313.tif 000004
【０００４】
上に示す表では、この異なるTDD UL-DL構成は、40%から90%をDLサブフレームとして規定し、従来では、eNBにおいて用いるUL-DL構成は、ブロードキャストチャネルのシステム情報を介してのみ（変更され）UEに通知される。このUL-DL構成は、半静的に構成され、瞬間的なトラフィックの状況に適応／整合しているとは言えない。
【０００５】
この非効率に鑑み、LTE-A Release11を対象としたフレキシブルTDD構成の研究が完了している。この研究項目の評価では、スモールセルでのトラフィック適応に基づくTDD UL-DL再構成を許すことにより、著しいパフォーマンスの恩恵が明らかになっている。この研究では、またTDD UL-DL再構成システムのための干渉軽減スキームが勧められている。
【０００６】
非対称UL-DL構成及びフレキシブルTDD配置において、実装が実行可能ではないと考えられていた課題がある。一つの課題は、TDD再構成が無線フレーム単位で頻繁に生じる時に、UL及びDLで用いられるHARQ−タイミングの参照に関することである。この点について、DL伝送におけるHARQ-ACKフィードバックに関係する確かな問題（特にフレキシブル-TDDシステムでのULグラントとDLスケジューリングとを結びつけるタイミングに関する問題）を処理することは、助けになるであろう。
【０００７】
図１の一覧図(100)は、LTE Rel.8,9,10及び11で規定されたHARQタイミング規則である。LTE Rel.8-11において規定され、一覧図(100)に図示するように、無線フレーム(n)または(n+l)内の一つのULサブフレームは、無線フレーム(n)中、M個のDL及び／または特定のサブフレームに対するHARQ-ACKフィードバックの実行を引き受ける、そしてMは、3GPP TS 36.213の表10.1.3.1-1（図１中の下段の表(120)で規定されるDL連携セットKのサイズである。表(120)において、DL連携セットKは、各々のULサブフレームに異なるTDD UL-DL構成で定義される。たとえば、TDD UL-DL構成#3(125)，ULサブフレーム#2（124）は、表(120)において定義されるｋの値で以前のk個のサブフレームで生じたDL伝送のためにHARQ-ACKフィードバックの実行を引き受ける。この例（すなわちTDD UL-DL構成#3でのULサブフレーム#2では、ｋの値は、7(123)、6(122)、及び11(121)である。したがって、TDD UL-DL構成#3(125)でのULサブフレーム#2(124)は、７番目、６番目、１１番目の以前のサブフレームのHARQ-ACKフィードバックの実行を引き受ける。その結果として、無線フレームn+1では、TDD UL-DL構成#3(125)，ULサブフレーム#2(114)は、フレームn内の以下のサブフレーム、スペシャルサブフレーム#1(111)(k=11に対して)、DLサブフレーム#5(112)(k=7に対して)及びDLサブフレーム#6(113)(k=6に対して)、のHARQ-ACKフィードバックの実行を引き受ける。この例では、それゆえ、前もって定義されたDL連携セットKが{7,6,11}すなわちDLサブフレーム#5、DLサブフレーム#7、スペシャルサブフレーム#1であり、そしてMは3である。
【０００８】
本文脈において、無線フレームの各サブフレームのサブフレーム番号は、またサブフレームインデックスとして参照してもよい。例えば、ある無線フレーム内のULサブフレーム#2では、サブフレームインデックスは2である。同様にある無線フレーム内のULサブフレーム#5では、サブフレームインデックスは5である。
【０００９】
一つだけ提供されたセルがUEのために構成された場合、DCIフォーマット0/4内の、2ビットダウンリンク割り当てインデックスDAIの欄，
【数１】
2018191313.tif 000005
は、ダウンリンクSPS通知がDL連携セットKの全てのサブフレームの範囲内で対応するUEに送られることを示す、PDSCH伝送及びPDCCH/EPDCCHでのサブフレームの総数を表す。
【数２】
2018191313.tif 000006
の値は、PDCCH/EPDCCHでの有り無し両方で、DL連携セットKでの全てのサブフレームの範囲内で、全てのPDSCH伝送を含む。
【００１０】
図２Ａのタイミング図(200)では、TDD UL-DL構成#1は、SIB-1を用いた基地局装置によるブロードキャストである。上記で規則が論じられたLTE Rel.8-11のHARQタイミングによれば、DLサブフレーム#0(201)及び／またはスペシャルサブフレーム#1(202)におけるHARQ-ACKフィードバックは、ULサブフレーム#7で報告される。したがって、ULサブフレーム#7(203)に関連するDL連携セットKは、｛７，６｝すなわちDLサブフレーム#0(201)、スペシャルサブフレーム#1(202)である。ULサブフレーム#7(203)に関連するDL連携セットK｛DLサブフレーム#0、スペシャルサブフレーム#1｝の範囲内でリリースするダウンリンクSPS通知を示す、PDSCH伝送及びPDCCH/EPDCCH伝送のサブフレーム総数は、ULグラント(204)内の
【数３】
2018191313.tif 000007
の値に示されている。ULグラント(204)は、TS36.213の表8-2（すぐ下を参照）に規定されたULグラントタイミングに従い、ULサブフレーム#7でのPUSCH伝送のために、スペシャルサブフレーム#1で基地局によって送信される。特に、ULグラント(204)は、ULサブフレーム#7(203)に関連するDL連携セットの最新のフレームであるスペシャルサブフレーム#1(202)で送信される。
【表３】
2018191313.tif 000008
【００１１】
別の例では、上述したHARQタイミングに従って、TDD UL-DL構成#1では、フレームn内のDLサブフレーム#5及び／またはスペシャルサブフレーム#6のHARQ-ACKは、フレームn+1内のULサブフレーム#2により報告される。フレームn+1内のULサブフレーム#2に関連するDL連携セット｛フレームn内のDLサブフレーム#5、フレームn内のスペシャルサブフレーム#6｝（すなわち{7,6})の範囲内でリリースするダウンリンクSPS通知を示す、PDSCH伝送及びPDCCH/EPDCCH伝送のサブフレーム総数は、ULグラント(206)内の
【数４】
2018191313.tif 000009
の値により示されている。ULグラント(206)は、フレームn+1内のULサブフレーム#2でのPUSCH伝送のために、スペシャルサブフレーム#6で基地局によって送信される（これは、上記表8-2に規定されたに規定されたULグラントタイミングに再度従う）。そして再度、ULグラント(206)は、フレームn+1内のULサブフレーム#2に関連するDL連携セットの最新のフレームである、フレームn内のスペシャルサブフレーム#6で送信される。
【００１２】
それゆえ、全てのULグラント（図２内の204,205,206及び207)は、関連するDL連携セット内の最新のDL伝送例であるDL/スペシャルサブフレームで送信されることが観察できる。
【００１３】
したがって、ULグラントタイミングは、基地局にDL連携セットの範囲内で生じたことをSPSが通知することを示す、PDSCH伝送及びPDCCH/EPDCCH伝送の総回数をカウントすること及びULグラント内の
【数５】
2018191313.tif 000010
を用いて前記伝送回数で意図するUEに通知することを許容する。言い換えれば、関連するDL連携セット内のULグラントが最新のフレームで送信されるので、eNBのような基地局は、SPSリリースを示す、PDSCH伝送及び／またはPDCCH/EPDCCH伝送に含むDL連携セット内の（ULグラントが送信された前記最新のサブフレーム以前の）サブフレームの数をカウントすることができ、そして、ULグラント内で送信された
【数６】
2018191313.tif 000011
によって意図するUEにこの番号を伝えることができる。その後、受信したULグラント内の
【数７】
2018191313.tif 000012
を解析することにより、UEは、受信すべきSPSリリースを示す、PDSCH伝送及び／またはPDCCH/EPDCCH伝送の総回数を知ることができる。このことは、SPSリリースを示す、全てのPDSCH伝送及び／またはPDCCH/EPDCCH伝送が受信に成功したか否かによらず、UEが関連するULサブフレームでACKまたはNACKを送信するか否かを知ることを可能とする。
【発明の概要】
【発明が解決しようとする課題】
【００１４】
図２Ｂにおいて、ULグラントタイミング図(200A)は、７つのTDD UL-DL構成全てのULグラントのタイミング及びDL HARQ-ACKタイミングを示す。ULグラントは、常に特定のULサブフレームに関連したDL連携セットの範囲内で最新のDL伝送段階よりも早くに送信されない。したがって、ULグラントとDL伝送スケジューリングのタイミングにカップリングがある。その結果として、ULグラントとDL伝送スケジューリングのタイミングが特定のTDD UL-DL構成のための別の基準タイミングに従うか否か問題となる可能性がある。
【００１５】
このようなことにもかかわらず、フレキシブル-TDDシステムでは、基準タイミング構成は、DLとULグラントで個々に独立して選択されることが期待されている。言い換えれば、フレキシブル-TDDシステムでは、ULグラントとDL伝送スケジューリングとのタイミングは、特定のTDD UL-DL構成のための異なる基準タイミングに従うことが期待されている。上述のULグラントとDL伝送スケジューリングのタイミングのカップリングは、TDD HARQ-ACKバンドル及びTDD HARQ-ACK多重化処理に関する問題を引き起こす潜在的要因となり、そして、このような問題（またはこれらの一つまたは一部）が改善されることができるか、少なくとも減らされることが望ましい。このような問題(またはこれらの一つまたは一部)を改善するか、減らすことは、フレキシブルTDDシステムからの利益を得る助けとなりうる。
【００１６】
従来または既存の装置、システム、方法、慣行、出版物、またはその他の情報、または任意の関連する問題や課題は、単なる参照であり、これらのものを個別に又は組み合わせのいずれかの分野における当業者の共通の一般的知識の一部を形成することを、または、それらが受任する従来技術であることの承認または自認を構成するものではないことは、明らかに理解されるものである。
【課題を解決するための手段】
【００１７】
一形態において、本発明は、時分割多重（TDD）アップリンク−ダウンリンク（UL-DL）構成のフレキシブル割り当てをサポートし、ハイブリッド自動再送要求−確認応答（HARQ-ACK）バンドルを用いる無線通信システムに用いられるためのシグナリング方法であって、前記方法は、
所定の無線フレームで複数のTDD UL-DL構成の一つを使用に割り当て、所定のTDD UL-DL構成は、
ULサブフレームは、前記所定の無線フレーム及び／または以前の無線フレームで１以上のDL及び/またはスペシャルサブフレームのためにHARQ-ACKフィードバックを搬送し、
DL連携セットは、前記ULサブフレームで搬送されるHARQ-ACKフィードバックのための前記１以上のDL及び／またはスペシャルサブフレームを備え、
前記サブフレームでのULグラントは、DL連携セット内の前記DL及び／またはスペシャルフレームの一つで送信され、
前記方法は、
・半永続スケジューリング（SPS：semi-persistent scheduling）リリースで示される（拡張）物理ダウンリンク制御チャネル（PDCCH/EPDCCH）伝送、及び／または
・PDCCH/EPDCCHに対応する物理ダウンリンク共通チャネル（PDSCH）伝送を、
ULグラントが搬送された前記サブフレームより後ではない、前記DL連携セット内のDL及び／またはスペシャルフレームのみにスケジューリングすることに関する。
【００１８】
前記ULグラントが搬送されたサブフレームより後ではない前記DL連携セット内のサブフレーム、及び／または前記ULグラントのサブフレーム後の前記DL連携セット内のサブフレームにSPS PDSCH伝送をスケジューリングすることを更に備える上記の方法。
【００１９】
TDD UL-DL構成は、UL-HARQのための基準タイミングと、ULグラントタイミングとして用いることができる。UL-HARQ ULグラントタイミングの基準タイミングとTDD UL-DL構成は、現在の無線フレームで使用されている瞬時のTDD UL-DL構成のULサブフレームのスーパーセットであるULサブフレームを有することができる。同様に、TDD UL-DL構成は、DLサブフレームのスーパーセットであるDLサブフレームを有することができるDL-HARQタイミングの基準タイミングと、DL-HARQタイミングの基準タイミングとTDD UL-DL構成として使用することができる現在の無線フレームで使用されている瞬時のTDD UL-DLの設定である。これは、本発明のすべての形態および実施形態に適用することができる。
【００２０】
前記無線通信システムは、アドバンスト基地局（eNB）、１以上のアドバンストユーザ装置（UE）、１以上のレガシーUEを備え、前記方法は、
アドバンストUEに、フレシキブルTDD割り当てに従って処理されたTDD UL-DL構成を割り当て、
レガシーUEに、long-termTDD割り当てに従って処理された前記TDD UL-DL構成を割り当て、レガシーUEに割り当てた前記TDD UL-DL構成は、アドバンストUEに割り当てたTDD UL-DL構成と、同じまたは異なる実施の形態の方法。
【００２１】
適切には、唯一のDL及び/またはULグラントを運ぶサブフレームの後ではないDL連携セットでのスペシャルサブフレームでPDCCH/EPDCCHに対応するDL SPSリリース及び/またはPDSCH伝送を示すスケジューリングPDCCH/EPDCCH送信の工程は、アドバンストUEのためのアドバンスト基地局により行ってもよい。
【００２２】
所定のサブフレームでのPDSCH伝送において、当該PDSCHに関連づけられた、前記対応するPDCCH/EPDCCHは、異なるサブフレームで送信される、クロスサブフレームスケジューリングを更に備える本発明の第1の広い形態の方法。
【００２３】
第2の形態において、本発明は、eNBとアドバンストUEとの間のシグナリングに用いられるTDD UL-DL構成の、基地局（eNB）によるフレキシブル割り当てをサポートし、HARQ-ACK多重化を用いる無線通信システムに用いられるためのシグナリング方法であって、前記方法は、
所定の無線フレームで複数のTDD UL-DL構成の1つを使用に割り当て、
ULサブフレームは、前記所定の無線フレーム及び／または以前の無線フレームで前記複数のDL及び／またはスペシャルサブフレームのためにHARQ-ACKフィードバックを搬送し、
DL連携セットは、前記ULサブフレームで搬送されるHARQ-ACKフィードバックのための複数のDL及び／またはスペシャルサブフレームを備え、
前記サブフレームでのULグラントは、前記DL連携セット内の前記DL及び／またはスペシャルフレームの一つで送信され、
前記方法はさらに、
前記DL連携セット内のサブフレーム数をDL割り当てインデックス
【数８】
2018191313.tif 000013
の値にセットし、
前記ULグラントで前記eNBから前記アドバンストUEに、
【数９】
2018191313.tif 000014
を伝送し、
【数１０】
2018191313.tif 000015
は、前記DL連携セット内のDL SPSリリースを示すPDCCH/EPDCCH伝送で期待されるサブフレームの総数を示すことに広く関連する。
【００２４】
本発明の第2の広い形態に係る方法は、
前記UEは、前記ULサブフレームで送信される、HARQ-ACKフィードバックビット
【数１１】
2018191313.tif 000016
及び前記HARQ-ACKフィードバックビット
【数１２】
2018191313.tif 000017
の数を決定し、
前記UEによって受け取られる、対応するPDCCH/EPDCCHのないどんなSPS PDSCH伝達のためにでも
UEが受信した、対応するPDCCH/EPDCCHのない、いずれのSPS PDSCH伝送においても、前記連携するHARQ-ACKフィードバックビットが
【数１３】
2018191313.tif 000018
にマッピングされ、そして
前記UEがDL SPSリリースを示すPDSCHまたはPDCCH/EPDCCHを検出していない、いずれのDL及び／またはスペシャルフレームにおけるHARQ-ACKフィードバックビットも、NACKが送信される。
【００２５】
本発明の第2の広い形態に係る方法は、
１以上のアドバンストUEが存在し、前記無線通信システムがさらに１以上のレガシーUEを備え、
アドバンストUEに、フレシキブルTDD割り当てに従って処理されたTDD UL-DL構成を割り当て、前記方法は更に、
レガシーUEに、long-termTDD割り当てに従って処理されたTDD UL-DL構成を割り当て、レガシーUEに割り当てた前記TDD UL-DL構成は、アドバンストUEに割り当てた前記TDD UL-DL構成と、同じまたは異なる。
【００２６】
本発明の第1の形態と同じく、本発明の第2の広い形態に係る方法は、
所定のサブフレームでのPDSCH伝送において、当該PDSCHに関連づけられた、前記対応するPDCCH/EPDCCHは、異なるサブフレームで送信される、クロスサブフレームスケジューリングを更に備える。
【００２７】
第3の形態において、本発明は、TDD UL-DL構成のフレキシブル割り当てをサポートする無線通信システムに用いられるためのシグナリング方法であって、前記方法は、所定のサブフレームでのPDSCH伝送において、当該PDSCHに関連づけられた、前記対応するPDCCH/EPDCCHは、異なるサブフレームで送信される、クロスサブフレームスケジューリングを備えることに広く関連する。
【００２８】
発明の第3の形態の実施形態において、前記方法は、
所定の無線フレームで複数のTDD UL-DL構成の一つを使用に割り当て、前記TDD UL-DL構成は、
ULサブフレームは、前記所定の無線フレーム及び／または以前の無線フレームで１以上のDL及び/またはスペシャルサブフレームのためにHARQ-ACKフィードバックを搬送し、
DL連携セットは、前記ULサブフレームで搬送されるHARQ-ACKフィードバックのための１以上のDL及び／またはスペシャルサブフレームを備え、
前記ULサブフレームでのULグラントは、前記DL連携セット内の前記DL及び／またはスペシャルフレームの一つで送信される。
【００２９】
本発明の第3の形態の実施形態において、
前記ULグラントのサブフレーム後の前記DL連携セット内のサブフレームでのPDSCH伝送において、PDSCH伝送に連携する、前記対応するPDCCH/EPDCCHは、クロスサブフレームスケジューリングされ、前記ULグラントのサブフレームより後ではない前記DL連携セット内のサブフレームで送信される。
【００３０】
本発明の第3の広い形態の方法の実施形態において、
前記ULグラントでDL割当てインデックス
【数１４】
2018191313.tif 000019
を送信し、
【数１５】
2018191313.tif 000020
は、前記DL連携セットでアドバンストUEに送信された下記の総回数を示す方法、
(i)PDSCH伝送
(ii)前記ULグラントサブフレーム後のサブフレームのPDSCHに関連し、前記ULグラントサブフレームの後ではないサブフレームでクロスサブフレームスケジューリングされたPDCCH/EPDCCH
(iii)DL SPSリリースを示すPDCCH/EPDCCH伝送。
【００３１】
本発明の第3の広い形態の方法の実施形態において、
前記DL連携セット内の所定のDLまたはスペシャルフレームは、
・前記PDSCH伝送と、前記連携するPDCCH/EPDCCHとの間のサブフレームオフセットがゼロである場合、PDCCH/EPDCCHが、前記PDSCHが同じサブフレームに含まれたPDSCH伝送と連携するようにセルフサブフレームスケジューリングされたPDCCH/EPDCCH、及び
・前記PDSCH伝送と、前記連携するPDCCH/EPDCCHとの間のサブフレームオフセットがゼロではない場合、PDCCH/EPDCCHが、前記PDSCHが異なるサブフレームにあるPDSCH伝送と連携するようにクロスサブフレームスケジューリングされたPDCCH/EPDCCHの、
いずれかまたは両方を含むことができる。
【００３２】
発明の第3の形態の実施形態において、
新たなダウンリンク制御情報(DCI:downlink control information)は、前記サブフレームオフセットのインジケーターとして、２ビットのサブフレームインジケーターフィールド(SIF:subframe indicator field)で提供される。
LTE-TDDシステムにおいて、前記２ビットのSIFは、前記サブフレームオフセットのサブフレーム数を示すことに用いられる。
LTE-FDDシステムにおいて、前記２ビットのSIFは、PDSCH伝送と、クロスサブフレームスケジュールされ連携したPDCCH/EPDCCHとの間の前記サブフレームオフセットを
(i)時間オフセット
(ii) サブフレームインデックスの期間で表現されたオフセットすなわちサブフレームインデックスの差
の一方または両方で示すために用いられる。
【００３３】
あるいは、既存のDCIが用いられ、前記DCIが、セルフサブフレームスケジューリングまたはクロスサブフレームスケジューリングのいずれで用いられるかは、前記受信したDCIの巡回冗長検査(CRC:cyclic redundancy check)をマスクして決定される。
PDCCH/EPDCCH復号後に、２つのマスクの１つをCRCチェックに用い、前記CRCチェックをパスした場合、前記DCIがクロスフレームスケジューリングまたはセルフサブフレームスケジューリングのいずれかを用いられたかは、前記マスクの１つが用いられていることを測定することにより、確かめることができる。
前記全てのPDCCH/EPDCCHペイロードは、CRCパリティビットを計算するのに用いられ、前記PDCCH/EPDCCHペイロードの前記ビットであるa0,a1,…,aA-1、Aは前記PDCCH/EPDCCHペイロードのサイズであり、前記パリティビットは、p0,p1,…,pL-1であり、Lはパリティビットの数、
セルフサブフレームスケジューリングまたはクロスサブフレームスケジューリングを表に示すマスクx0,x1,…,x15でスクランブルをかけられたDCI内の前記CRCパリティビット、
【表４】
2018191313.tif 000021
及び関連する無線ネットワーク一時識別子(RNTI:radio network temporary identities)xrnti,0,xrnti,1, …,xrnti, ,15は、ビット列c0,c1,…cA+Lを形成し、
ここで、kが0,1,2, …,A-1においてck=ak
kがA,A+1,A+2,…,A+15においてck=(ak+xrnti,k-A+xk-A) mod 2
である。
【００３４】
さらにあるいは、既存のDCIは、本来PUCCHの送信電力を調整する意図の2ビット送信電力制御(TPC: transmit power control)フィールドを用い、前記2ビットTPCフィールドは、クロスサブフレームスケジューリングされたPDCCH/EPDCCHに関連するPDSCHのための、前記サブフレームのオフセットまたはサブフレームの位置を示すために代わりに用いられる。
既存のDCIは、前記同じDL/スペシャルフレームで伝送することができる2ビットDLアサインインデックス（DAI: DL assignment index）及び1以上のDL DCIを含み、セルフスケジューリングにおける前記DCI内の前記DAIの値は、クロスサブフレームスケジューリングにおけるDCI内の前記DL DAIより前にカウントされている。
【００３５】
更に広い形態では、本発明は、上記の方法（又はその実施形態）のいずれかに従って動作する無線通信システムに関する。そしてさらに別の広い形態において、本発明は、上記の方法（またはその任意の実施形態）を実行するように動作可能な基地局に関する。
【００３６】
本明細書で説明する特徴、特性、または機能のいずれかが本発明の範囲内で、本明細書に記載の他の特徴、特性、または機能のいずれか1つ以上との任意の組み合わせで組み合わせることができる。
【図面の簡単な説明】
【００３７】
【図１】図１は、例としてLTE Rel.8,9,10及び11で規定されたHARQタイミング規則の略図である。
【図２Ａ】図２Ａは、TDD UL-DL構成#1におけるDL HARQ-ACKタイミング及びULグラントタイミングを模式的に示すタイミング図である。
【図２Ｂ】図２Ｂは、７つのTDD UL-DL構成の全てのDL HARQ-ACKタイミング及びULグラントタイミングを模式的に示すタイミング図である。
【図３】図３は、ULグラントタイミングで用いられる基準TDD UL-DL及びDL HARQ-ACKタイミングにおいて用いられる基準TDD UL-DLの両方が、遅らせることなく構成されたTDD UL-DL構成と異なる状況でのDL HARQ-ACKタイミング及びULグラントタイミングを模式的に示すタイミング図である。
【図４】図４は、TDD UL-DL構成のフレキシブル割り当てをサポートするアドバンスト無線通信システムの略図である。図示する無線通信システムは、本発明実施の形態を実装することができるシステムの例である。
【図５】図５は、図示及び説明の目的で用いられる、図２Ａ及び図３と同様の、別のタイミング図である。
【図６】図６は、クロスサブフレームスケジューリングにおいて可能なオプションの略図である。
【図７】図７は、ダウンリンクアサインインデックスの値である。
【図８】図８は、クロスフレームスケジューリングフラグマスクである。
【発明を実施するための形態】
【００３８】
好ましい特徴は、本発明の実施形態および変形は、本発明を実行するために、当業者に十分な情報を提供する以下の詳細な説明から識別することができる。詳細な説明は、決して本発明の前述の概要の範囲を限定するものとみなされるべきではない。次のように詳細な説明は、図面の番号を参照することになる。
【００３９】
以下の説明では、関連するULグラントが搬送されるサブフレーム後に基地局により送信された、DL連携セットK内のDL/スペシャルフレームは、「遅いサブフレーム」として参照され、そしてULグラントが搬送されるサブフレームまでに基地局により送信された、ＤＬ連携セットK内のDL/スペシャルフレームは、「早いサブフレーム」として参照される。
【００４０】
本発明は、例えば図４に模式的に表されたフレキシブルTDD UL-DL構成をサポートするアドバンスト無線通信システムに実装してもよい。
【００４１】
図４に図示するアドバンスト無線通信システム(400)は、たとえば、以前にリリースされたRel,8,9,10及び11に上位互換であるRel.12以降のeNB(401)でもよいアドバンスト基地局を含む。基地局/eNB(401)は、アドバンストUEと同じくレガシーUE(420)の、無線通信、ネットワークアクセス及びサービスエリアを提供する。アドバンストUEは、例えばRel.12以降のUE(430)でも良い。基地局/eNB(401)は、レガシーUE(420)及びRel.12以降のUE(430)のためのロングターム及びショートタームのTDD UL-DL構成の適切な選択のためのTDD構成切り替えアルゴリズムを処理する時に、無制限の時間フレームで観測されたUL-DLトラフィック比を考慮する”TDD再構成処理”機能(402)を有する。基地局/eNB(401)は、また動的にスケジューリングされた、DL伝送（自己サブフレームスケジューリング及び/またはクロスサブフレームスケジューリング）及び/又はDL SPSを扱うためのDLスケジューリングモジュール(403)；UL PUSCHの伝送においてULグラントを扱うためのULスケジューリングモジュール(404)；ダウンリンクアサインインデックス(DAI: Downlink Assignment Index)及び送信電力制御(TPC:Transmit Power Control)の正しい設定を確実にするためのDCI符号化モジュール(405)を含む。
【００４２】
eNB(401)は、ロングタームTDD UL-DL構成をレガシーUE(420)、そしてまたアドバンストUE(430)(例えばRel.12以降のUE)にSIB-1(System Information Block type 1)を用いてブロードキャストする。SIB-1で伝送されたTDD UL-DL構成は、SIB更新周期が概略640msである”ロングターム(long term)”が検討されている。eNB(401)は、またアドバンストUE（例えばRel.12以降のUE(430)）のみにショートタームTDD UL-DL構成(413)を伝達するファストシグナリングアプローチを用いてもよい。“ショートターム(short term)”TDD UL-DL構成の更新周期は、(例えば無線フレームに基づき10msと(例えば頻繁に)短くてもよい。また、eNB(401)は、意図するUEがレガシーUEである場合、ロングタームTDD UL-DL構成タイミングを用いて、意図するUEにULグラント(414)を搬送するPDCCH/EPDCCHを送信し、意図するUEが無線フレーム単位でTDD UL-DL構成の動的な再構成をサポートするアドバンストUEである場合、所定の基準TDD UL-DL構成を用いる。送信された
【数１６】
2018191313.tif 000022
の値が、用いられるTDD HARQ-ACKのモード設定(バンドリングまたは多重化)に依存しているとしても、eNB(401)は、さらに、ULグラント(414)でダウンリンクアサインインデックス(DAI:Downlink Assignment Index)
【数１７】
2018191313.tif 000023
を送信してもよい。以下を参照。上述したように、DAI
【数１８】
2018191313.tif 000024
は、PDSCHに連携するPDCCH/EPDCCH及びダウンリンクSPSリリースを示すPDCCH/EPDCCHの、UE側での受信（または不受信）に関連するHARQ-ACKフィードバックを正しく生成するために用いられる。ULグラント(414)は、関連するPDSCHが伝送されるサブフレームの位置を示すために、基地局により用いられ、アドバンストUEにより判断される、TPCフィールドをさらに備えてもよい。eNB(401)は、意図するUEにDL動的スケジューリング情報(415)を搬送するPDCCH/EPDCCHをさらに送信しても良い。意図するUEは、レガシーUE(420)、または、クロスサブフレームスケジューリング有りまたは無しで、無線フレーム単位で、TDD UL-DL構成を動的に再構成するアドバンストUE(430)であってもよい。クロスサブフレームスケジューリング能力を有するアドバンストUE(430)において、eNB(401)は、クロスサブフレームスケジューリング及び関連するPDSCHが伝送されたサブフレームの位置を示すための、伝送されたDL DCIをマスクして、クロスサブフレームスケジューリングの有りまたは無しで、提案された”サブフレームインジケーターフィールド”またはTPCフィールドをさらに用いても良い。
【００４３】
受信の実行及びSIB-1でTDD UL-DL構成のブロードキャストの使用に加えて、
アドバンスト基地局（Rel.12以降のeNB(401)であってもよい）の範囲で実行するRel.12以降のUEのようなアドバンストUEは、さらにショートタームUL-DL構成情報の測定を含むTDD再構成処理(431)を実行する。処理(431)は、またPDSCH HARQ符号化及びeNB(401)にPDSCH HARQフィードバックを送信するためのULサブフレームの適切な選択を含んでも良い。処理(431)は、またUl-SCHに関連する伝送のためのULグラントのためにUEがモニターするDLサブフレームの決定を含んでも良い。処理(431)は、更に、TDD HARQ-ACKモード（バンドルまたは多重化）に依存して用いられ、正しいHARQフィードバックのための、検出したULグラント内の、受信したダウンリンクアサインインデックス
【数１９】
2018191313.tif 000025
を正しく判断する“DCI復号”(DCI復号モジュール(432)により実行してもよい)を含む。基地局(401)により判断されるクロスサブフレームスケジューリングをサポートするアドバンストUE(430)において、DCI復号(432)は、クロスフレームスケジューリングされたPDSCHの受信のためのサブフレームの位置の決定をマスクして、クロスサブフレームスケジューリングの有りまたは無しで、提案された”サブフレームインジケーターフィールド(SIF:subframe indicator field)”またはTCPフィールドを判断するために、さらに応答してもよい。
【００４４】
アドバンスト基地局(例えばRel.12以降のeNB(401))の範囲内で実行するレガシーUE(420)は、SIB-1でTDD UL-DL構成のブロードキャストを用い、完全に満たされた従来の規定に従って操作する。eNB(401)は、フレキシブルサブフレームでPUSCHの受信又はPUSCHの送信をレガシーUE(420)にスケジューリングしなくてもよい。
【００４５】
クロスサブフレームスケジューリング無しのTDD HARQ-ACKバンドル
【００４６】
TDD HARQ-ACKバンドル操作（3GPP TS 36 213 V8.8.0 (2009-10), § 7.3, page 50参照）を伴うLTEのための以前の提案によれば、”
【数２０】
2018191313.tif 000026
であり、UEが少なくとも１つのダウンリンクアサインが失敗し、UEがすべでの符号語のためにNACKを生成すべきと判断した場合、UEがPUSCHで送信し、このPUSCH伝送は、意図するUEのためのDCIフォーマット0/4で検出されたPDCCH/EPDCCH及びTDD UL-DL構成1-6に基づいて調整される。” UDAIは、DL連携セットの範囲内でUEにより検出された、PDSCH伝送、及びダウンリンクSPSリリースを示すPDCCH/EPDCCHに連携するPDCCH/EPDCCHの総数を意味し、NSPSは、ＤＬ連携セット内に関連するPDCCH/EPDCCHがないPDSCH伝送の数を意味する。
【００４７】
図３のフレキシブルTDDタイミング図(300)において、TDD UL-DL構成#2は、無線フレーム(n-1)及び無線フレーム(n)における瞬時のUL-DL構成を構成している。
【００４８】
フレキシブルTDDシステムの働き（動作）の仮定によれば、瞬時に構成されたUL-DL構成のスーパーセットであるULサブフレームを有するTDD UL-DL構成は、UL-HARQ及びULグラントタイミングのための基準タイミングとして用いられうる、そして、瞬時に構成されたUL-DL構成のスーパーセットであるDLサブフレームを有するTDD UL-DL構成は、DL-HARQのための基準タイミングとして用いられうる。
【００４９】
例えば、図１（及びさらに上記Table 4.2-2）から、TDD UL-DL構成#0は、TDD UL-DL構成#1及び#2を加えた追加ULサブフレームと全く同じULサブフレームを有することが理解できる。したがって、TDD UL-DL構成#0は、TDD UL-DL構成は#1と#2におけるULサブフレームのスーパーセットであるULサブフレームを有する（図３では、TDD UL-DLの構成#1、#2が瞬時に構成されたUL-DL構成である）。また、TDD UL-DL構成#5は、TDD UL-DL構成は#1と#2におけるDLサブフレームのスーパーセットであるDLサブフレームを有する。それゆえ、TDD UL-DL構成#5は、TDD UL-DLの構成#1及び#2のDLサブフレームのスーパーセットであるDLサブフレームを有する。
【００５０】
したがって、図３を参照するに、TDD UL-DL構成#0は、それぞれ瞬時に構成されたTDD UL-DL構成のスーパーセットであるULサブフレームを有しているので、TDD UL-DL構成#0は、UL-HARQ及びULグラントタイミングの基準タイミングとして利用することができる。同様に、TDD UL-DL構成#5は、それぞれ瞬時に構成されたTDD UL-DL構成のスーパーセットであるDLサブフレームを有するのでTDD UL-DL構成#5は、DL-HARQタイミングを基準タイミングとして利用することができる。
【００５１】
図３を更に参照するに、TDD構成#5のDL HARQ-タイミング（上記の図１を参照した説明を思い出すこと）にしたがって、最大8 DLサブフレーム（すなわち、無線フレームnのサブフレーム8,6,5,4,3,1及び0と無線フレーム（n-1）のサブフレーム9）のためのHARQ-ACKフィードバックは、（nは+1）フレームにおいてULサブフレーム#2（305）で基地局にフィードバックされる。ULグラント（上記図２Ａ及び図２Ｂを参照した説明を思い出すこと）のための基準タイミングとして使用される構成#0（303）で、フレーム（n+1）におけるULサブフレーム#2（305）でのPUSCH伝送が存在する場合、そのPUSCH伝送のためのULグラントは、フレーム（n）内のスペシャルサブフレーム#6（304）に送信される。さらに、上述したようにさらに、UEは、HARQ-ACKフィードバックを生成する際に前記ULグラントで提供された
【数２１】
2018191313.tif 000027
値を使用する必要がある。
【００５２】
前の段落の例に関連して、これは、ULグラントのタイミングに使用される基準構成はDL HARQタイミングに使用される基準の設定が異なるために留意すべきであり、ULグラント（304）は、n個の無線フレーム内のスペシャルサブフレーム#6に送られるが、これはK ULサブフレーム#2（305）に関連した（307）を設定DLアソシエーションの最後のDL /スペシャルなサブフレームではない。その結果、サブフレーム#6（304）において、DLサブフレーム＃8（306）のためのDLスケジューリング決定は、サブフレーム#6（304）後に行われるので、基地局は、DLサブフレーム＃8（306）で動的にスケジュールされたPDSCH/PDCCH/EPDCCH伝送があるかどうかわからない。それゆえ、DLサブフレーム＃8（306）におけるPDSCH伝送が（DL/スペシャルサブフレーム#6（304）上で基地局によって送信された）ULグラントで指定された値の決定に含まれることは不可能であり、そして、このことは無線フレーム（n+1）でUEにULサブフレーム#2により送信されたHARQフィードバックに関連する問題を引き起こす可能性がある。
【００５３】
図３を引き続き参照するに、DL連携セット中の各DL/スペシャルサブフレームでのPDSCH/PDCCH/EPDCCH送信（307）があると仮定して（つまり、DL連携セットのすべての8個のサブフレームにおけるPDSCH/PDCCH/EPDCCH伝送があると仮定して（307））、そしてスペシャルなサブフレーム#6にULグラントで送信された値（304）を仮定して、ULグラントが送信された後に発生したDLサブフレーム＃8（306）の1つを除いたDL連携セット内のDL/スペシャルサブフレームの全部のうちのDL伝送の占有は、7である。
【００５４】
図７によれば、図面中、割り当てられた
【数２２】
2018191313.tif 000028
の値は３であることを意味する。それゆえ、瞬間ULグラント送信はスペシャルなサブフレーム#6を行った場合、eNBは、ULグラント伝送はスペシャルなサブフレーム#6で実行される瞬間に、eNBはPDSCH/PDCCH/EPDCCH伝送において、7のDL/スペシャルサブフレームで７のみ認識しているので、eNBは、スペシャルなサブフレーム#6（304）上のULグラントに値
【数２３】
2018191313.tif 000029
を送信する。
【００５５】
上記のシナリオでは、サブフレーム#2にHARQフィードバックを送信する時（305）によって、ミスの検出が、全くUE側で発生していない場合、UEは、それまでのDL連携セット（307）の全ての8個のサブフレームのためにPDSCH/PDCCH/EPDCCH伝送を受信する。しかし、これはULグラントで受信した
【数２４】
2018191313.tif 000030
の値に基づいて、UEによって期待されたPDSCH/PDCCH/EPDCCH送信回数以上である。（図７によれば、3または7のPDSCH/PDCCH/EPDCCH伝送を期待することをUEに示すULグラントにおいて
【数２５】
2018191313.tif 000031
値が送信されていたことを思い出すこと）。したがって、全くミスの検出がないことが実際に発生したにもかかわらず、UEは、基準
【数２６】
2018191313.tif 000032
が満たされていることがわかる（この例では、UDAI=8及びNSPS=0が与えられる）、そして上記例では、UEは、したがって、すべての符号語に対するNACKを生成する（例えば、NACKは、サブフレーム#2（305）上のすべての符号語のためにフィードバックされる）。しかし、UEは正しくすべてのPDSCH/PDCCH/EPDCCH伝送を検出したので、これは間違っている。したがって、すべての符号語のためにNACKを送信することは、単に不必要に基地局が再送信することを引き起こす（例えば、UEによるSPSリリースのためのDL-SCH及びPDCCH/EPDCCHを正しく受信するために、実際には、必要とされない基地局の再送信を引き起こす）。
【００５６】
このような基準の設定に続くMの値として、
【数２７】
2018191313.tif 000033
の値が補正された値に設定された場合、TDD HARQ-ACKのバンドルにおいて、PDSCH/PDCCH/EPDCCH伝送とDL/スペシャルサブフレームの実際の総数はMより少なくなりうる問題がまだあり、そして基準（すなわち、すべての符号語のためにNACKを生成するようにUEを引き起こすための基準）がまだ満たされているだろう。基地局において実装された、提案されたDLスケジューリングの制約は、この問題を解決するために使用することができる。具体的には、PDCCH/EPDCCHが関連するDL PDSCH伝送、及びSPSリリースの対応するPDCCH/EPDCCHは、”遅いサブフレームを覗いて”DL連携セット内のサブフレームにスケジューリングすることができる。言い換えれば、PDCCHは/ EPDCCHに対応するDL PDSCH伝送、及びSPSリリースのPDCCH/EPDCCHは、「早いサブフレーム」は、ULグラントを搬送するサブフレームまでに基地局より送信されたDL連携セットKのDL/スペシャルサブフレームであることを思い出させるだろう。
【００５７】
しかしながら、SPS PDSCHにおいては、UEとeNBの両方が、SPSアクティベーションPDCCH/EPDCCHおよび設定デューティサイクルに基づいて、SPS PDSCH伝送のためのタイミングを知っているので、上記DLスケジューリング制限の必要がないだろう。それゆえ、値
【数２８】
2018191313.tif 000034
は、「遅いサブフレーム」を含むDL連携セット内のすべてのサブフレームにおけるSPS PDSCH伝送を占め、そして、UEは、それに応じてSPS PDSCHとフィードバック対応するHARQ-ACKを検出することができる。
【００５８】
今述べたようにDLスケジューリングの制限を使用することの1つの考えられる欠点は、DLスケジューリングを理由として、SPS PDSCHが「遅いサブフレーム」 （例えば、図３のフレーム#nのDLサブフレーム＃8（306））で送信しうることである。しかし、SPS PDSCHだけでは「遅いサブフレーム」で使用可能なすべてのリソースをフルまたは最大限に活用すると、これはやや減少したリソース効率になることがありえる。
【００５９】
クロスサブフレームスケジューリング無しのTDD HARQ-ACK多重化
これは、文字“n”は本明細書では、さまざまな方法で使用され、この時点で留意すべきである（例えば、文字“n”が異なることを示すために使用される）。上述したように、文字“n”は主に特定の無線フレームを参照するために、または無線フレームを区別するために使用される（例えば、無線フレーム（n-1）、（n）および（n+1）は、図３その他において、区別するため）。この意味は、以下において引き続き用いられる。しかしながら、以下の議論（また上記インスタンスの数）では、文字“n”は、無線フレーム内の特定のサブフレームを示すために使用される。意図する意味のどれか文脈から明らかなはずである。
【００６０】
LTEにおけるTDD HARQ-ACK多重化処理に関する以前の提案(3GPP TS 36 213 V8.8.0 (2009-10), § 7.3, page 51)によれば、「TDD HARQ-ACK多重化およびM>1とサブフレームnのために、DLサブフレーム内で複数の符号語にわたって結束空間HARQ-ACKが、すべての対応する個々のHARQ-ACKの論理AND演算によって実行される場合、UEは、PUSCH上で送信され、UEは、HARQ-ACKフィードバックビット
【数２９】
2018191313.tif 000035
およびサブフレームnにおいて送信されるHARQ-ACKフィードバックビット数
【数３０】
2018191313.tif 000036
を決定しなければならない。PUSCH送信は、UEのために意図されたDCIフォーマット0/4と検出したPDCCH/EPDCCHに基づいて調整されている場合、
【数３１】
2018191313.tif 000037
は
【数３２】
2018191313.tif 000038
と
【数３３】
2018191313.tif 000039
ではない限り、その場合、UEは、HARQ-ACKを送信してはならない。
【数３４】
2018191313.tif 000040
の場合には、対応するPDCCH/EPDCCHなしPDSCHの送信に関連付けられたHARQ-ACKは
【数３５】
2018191313.tif 000041
にマッピングされる。任意の検出されたPDSCH伝送のないまたはダウンリンクのSPSリリースを示す検出されたPDCCH/EPDCCHなしHARQ-ACKフィードバックビットはNACKに設定される。」
【００６１】
フレキシブル-TDDシステムでは、
【数３６】
2018191313.tif 000042
の値は常にPDSCH/PDCCH/EPDCCH伝送とサブフレームの総数を反映していない場合があり、それゆえ、M>1でのTDD HARQ-ACK多重化動作は、前述の理由で問題となり得る。
【００６２】
図５では、無線フレームnはTDD UL-DL構成#2で構成されており、そしてTDD UL-DL構成#0及び#2は、それぞれ、ULスケジューリングとDL HARQタイミングのために使用される。図から分かるように、ULグラント（505）は、無線フレーム（n+1）内のULサブフレーム#2に関連するDL連携セットの最後のDL送信インスタンス上で送信されない（最後のDL送信インスタンスは、フレーム内のDLサブフレーム＃8（n）になる）。
【００６３】
DLサブフレーム＃4（501）、スペシャルサブフレーム#6（502）、DLサブフレーム＃8（503）（例えばUDAI=3）に関連するPDCCH/EPDCCH伝送とPDSCH伝送があり、DLサブフレーム#5（504）（例えばNSPS=1）で、関連したPDCCH/EPDCCH伝送のない、1つのPDSCH伝送がある、と仮定する。この状況では、基地局によって送信されたULグラント（505）に含まれる値
【数３７】
2018191313.tif 000043
は、 DL連携セット（506）の最初の3つのサブフレームにのみPDSCH/PDCCH/EPDCCH伝送を使用して決定される。基地局（またはeNB）は、無線フレーム（n+1）内のULサブフレーム#2で、4つのサブフレーム{4,5,6,8}でDL伝送することを知っているので、基地局/eNBは、最後の一つであるSPS PDSCHのためにHARQ-ACKフィードバックにて、順序
【数３８】
2018191313.tif 000044
でHARQ-ACKビットを受信することを期待する（上記で議論したTDD HARQ-ACK多重化を伴うLTE用の以前の提案により）。しかし、UEは、上記の背景技術の項で説明する手順にそって
【数３９】
2018191313.tif 000045
を使用しているので、UE側において、ULサブフレーム#2（507）で、HARQ-ACKビットが
【数４０】
2018191313.tif 000046
の順に設定される。これは、次のエラーになることがある： eNBは、DLサブフレーム＃8（503）のためのHARQ-ACKを
【数４１】
2018191313.tif 000047
とみなすことがある。eNBは、DLサブフレーム#5（504）でのSPS PDSCHが（それがなかったとしても）UEによってミスを検出されたと解釈することができる。
【００６４】
M> 1でのTDD HARQ-ACK多重化での、この問題を解決するために、PDSCH伝達とDL SPSのリリースを示すPDCCH/EPDCCHとサブフレームの総数のために考慮することなく、ULグラントに含まれる値
【数４２】
2018191313.tif 000048
は、意図的にMの値は、基地局/ eNBによって設定することができる。このように、eNBは、意図的にDL連携セット内の各DL/スペシャルサブフレームにPDSCH/PDCCH/EPDCCH伝送があることをUEに通知し、そして、UEが、ダウンリンクのSPSリリースを示すPDSCH伝送やPDCCH/EPDCCHを検出しなかった、すべてのDLサブフレーム用のHARQ-ACKのフィードバックビットは、NACKがセットされる。したがって、例えば、ある状況では、前の段落で説明し、図５でタイミング図（500）を参照するに、
【数４３】
2018191313.tif 000049
の値は、M =4の値に設定され、HARQ-ACKビットが正確にeNBによって期待される順序で順番
【数４４】
2018191313.tif 000050
でUEによってフィードバックされるであろう。図から理解されるように、この提案によれば、MビットのHARQフィードバックにかかわらず、PDSCH/PDCCH/EPDCCH伝送でDL/スペシャルサブフレームがいくつあるかを考慮せずにUEによって常に送信される。しかし、この一つの可能性のある欠点は、時々存在しないDL送信のためにNACKを伝送する冗長なリソースの必要性を導入する可能性があることである（すなわち、基地局がULグラントに含まれる値
【数４５】
2018191313.tif 000051
を意図的にMの値に設定するマイナス面の可能性）。
【００６５】
上記の説明から理解できるように、別の方法は、このように異なるHARQ-ACKのフィードバックモードを選択することができる。（これは「遅いサブフレーム」において低/縮小スペクトル効率を犠牲にしてもよいが）TDD HARQ-ACKバンドルが動作中である場合にDLスケジューリング制限を使用することができる。（これは、存在しないDL送信のための冗長NACK送信のコストであってもよいが）HARQ-ACKの多重化が動作中である場合にMの値
【数４６】
2018191313.tif 000052
に設定を使用してもよい。
【００６６】
いかなる場合でも、フィードバックモードは上位レイヤに構成されているので、基地局/eNBは、各UEのフィードバックモードを認識し、したがって、適切な操作に応じて、異なるUEのための基地局で実施することが可能である。
【００６７】
クロスサブフレームスケジューリングを伴うTDD HARQ-ACKバンドリングおよび/または多重化
【００６８】
クロスサブフレームスケジューリングでは、“制御領域は、いくつかの特定の単一のサブフレーム内でUEにスケジューリング制御チャネルを含んでいてもよい（現在のサブフレームまたは、次のサブフレームの1のいずれか）”。言い換えれば、PDSCH及び、同じDL/スペシャルサブフレームで、関連するPDCCH/EPDCCHを送信する代わりに、PDSCHは、サブフレーム#nより前の、関連するPDCCH/EPDCCH jのサブフレームを送信することによって、クロスサブフレームスケジューリングとすることができるサブフレーム＃（n+j）で送信される。
【００６９】
フレキシブルTDDシステムにおいて、クロスサブフレームスケジューリングを実行するための複数の方法が考えられ、図６は、2つの可能なオプションを示している。図６を参照するに、クロスサブフレームスケジューリングオプション#1、サブフレーム#nにおいてPDSCH伝送（602）に関連付けられているPDCCH/EPDCCH（601）、及びサブフレーム＃（N+j）においてPDSCH伝送（604）に関連付けられているPDCCH/EPDCCH（603）は、独立して符号化され、独立したPDCCH/EPDCCHとして送信される。
【００７０】
クロスサブフレームスケジューリングオプション#2、サブフレーム#nにおいてPDSCH伝送（602）に関連付けられているPDCCH/EPDCCH（601）、及びサブフレーム＃（N+ j）においてPDSCH伝送（604）に関連付けられているPDCCH/EPDCCH（603）は、一緒に符号化され、単一のPDCCH/EPDCCH（605）で送信される。フレキシブルTDDまたはeIMTAシステムにおいて、「遅いサブフレーム」で送信されPDSCHは、このように同じDL連携セット内の「早いサブフレーム」でクロスサブフレームスケジューリングすることができる。「遅いサブフレーム」で送信されたPDSCHにおいて、PDSCH伝送に関連するPDCCH/EPDCCHは、同一のDL連携セットの「早いサブフレーム」で送信することができる。
【００７１】
したがって、図３のタイミング図(300)を参照し、動的にスケジュールされたPDSCHは、フレーム#nのDLサブフレーム＃8（306）、DL/スペシャルサブフレーム#6（304）で送信された、関連するPDCCH/EPDCCH、またはフレーム＃（n+1）のULサブフレーム#2に関連するDL連携セット（307）内の他の「早いサブフレーム」で、送信することができる。PDCCH/EPDCCHは「初期サブフレーム」に送信されるので、サブフレーム#6で基地局/eNBによって送信されたULグラント（304）でカウントし、反映させることができる。
【００７２】
重要なこととして、以前提案したLTEでは、ULグラントでUEに送信される2ビットのフィールド
【数４７】
2018191313.tif 000053
は、PDSCH伝送とDLとの関連セット内のダウンリンクSPSのリリースを示すPDCCH/EPDCCHとDLサブフレームの合計数に応じて決定される。しかし、クロスサブフレームスケジューリングが実装されている場合、それはすべて同じDLサブフレームにおいて（対応するPDCCH/EPDCCH有りまたは無しの）PDSCHと、クロスフレームにスケジュールPDCCH/EPDCCH（すなわち、将来のサブフレームで送信されたPDSCHに関連するPDCCH/EPDCCH）を有することが可能であろう。したがって、単にサブフレームの数をカウントすることはもはや期待されたPDSCH/PDCCH/EPDCCHの総数をUEに通知するのに十分でないであろう。
【００７３】
その結果、
【数４８】
2018191313.tif 000054
の定義は、クロスサブフレームスケジューリングに対応するために変更する必要がある（すなわち、同じDL連携セットの将来のサブフレームで送信されたPDSCHに関連付けられているPDCCH/EPDCCHの「早いサブフレーム」に含めることに対応するため）。したがって、
【数４９】
2018191313.tif 000055
は、
(i)PDSCH伝送:
(ii) 将来のサブフレームで発生する、クロスサブフレームスケジューリングされたPDSCHのためのPDCCH/EPDCCH
(iii) ダウンリンクのSPSリリースを示すPDCCH/EPDCCH伝送。 DL関連セットでUEに送られる。
の総数として定義されるべきである
【００７４】
クロスサブフレームスケジューリングが有効であるLTE-TDDシステムでは、１つのDLサブフレームに１位上のPDCCH/EPDCCH伝送の可能性がある。例えば、自己サブフレームスケジューリングにおいて、1つのPDCCH/EPDCCHがある可能性がある（すなわち、PDSCHに関連付けられている、より遅いPDCCH/EPDCCHが、DL連携セットの将来のサブフレームで送信する）。さらなる説明のために図６を参照するに、DL連携セット内に2つのサブフレームのみがあると仮定すると、DLサブフレーム#nで、PDCCH/EPDCCH1（601）は、PDSCH1（602）の自己フレームのスケジューリングのために送信され、そしてDLサブフレーム＃（n+j）で、PDCCH/EPDCCH2（603）は、PDSCH2（604）クロスサブフレームスケジューリングのために送信される。
【００７５】
追加の2ビットのサブフレームインジケータフィールド（SIF）は、クロスサブフレームスケジューリングのために設定された同じDLアソシエーション内の任意のDL /スペシャルなフレームを選択するための十分な柔軟性を提供することができるDL DCIに含まれる。例えば、図６において、PDCCH/EPDCCH1（601）内のSIF=0は、自己サブフレームスケジューリングを示し、PDCCH/EPDCCH 2 (603)内のSIF=1は、クロスサブフレームスケジューリングを示し、そしてクロススケジュールされたサブフレームは、DL連携セットでの第2サブフレームでありうる。
【００７６】
すなわち、追加の2ビットフィールドは、LTE-TDDシステムのために設定されたDLアソシエーションにおけるサブフレームのオフセットを示すために使用することができ、クロスサブフレームスケジューリングのためのDL DCIに含まれる。LTE-FDDシステムでは、追加の2ビットのフィールドは、時間オフセットPDCCH/EPDCCH、クロスフレームにスケジュールPDSCHの間を示すために使用することができる。
【００７７】
しかし、サブフレームインジケータフィールド（SIF）を収容するために、既存のDCIまたは新しいDCIを導入する追加のビットを導入することは、好ましくない場合がある（これらも、最後の手段としてのオプションとすることができる）。既存の標準仕様への影響が少ない別の代替を探していることがより望ましいことがある。したがって、一つの可能な代替案として、既存のDL DCIは、クロスサブフレームスケジューリングのために使用することができ、そして、DL DCIの使用（すなわち、DL DCIは、自己のサブフレームまたはクロスサブフレームスケジューリングのために使用されるかどうか）は、受信したDL DCIのCRC上にマスクすることによって区別することができる。
【００７８】
以前のLTEの提案によると、「PDCCH/EPDCCHペイロード全体はCRCパリティビットを計算するために使用される。PDCCH/EPDCCHペイロードのビットであるa0,a1,…,aA-1、AはPDCCH/EPDCCHペイロードのサイズであり、パリティビットは、p0,p1,…,pL-1であり、Lはパリティビットの数を示す。
【００７９】
クロスサブフレームスケジューリングが設定および適用されている場合、CRC付加の後、図８の図面において提案されているようにDL DCIのCRCパリティビットは、クロスサブフレームスケジューリングのマスクx0,x1,…,x15でスクランブルすることができ、そして、関連する無線ネットワーク一時識別子(RNTI:radio network temporary identities)xrnti,0,xrnti,1, …,xrnti, ,15は、ビット列c0,c1,…cA+Lを形成し、
【００８０】
Ckとakの関係は、ここで、kが0,1,2, …,A-1においてck=ak
kがA,A+1,A+2,…,A+15においてck=(ak+xrnti,k-A+xk-A) mod 2
である。
【００８１】
図８の提案では、UE側では、PDCCH/EPDCCH復号後、2つのクロスサブフレームスケジューリングマスクは、CRCチェックのために使用することができる。CRCチェックをパスしている場合、DCIは、クロスサブフレームスケジューリングのために、あるいは自己サブフレームスケジューリングのために使用されたかどうかは、判定マスクに基づいて確認することができる（CRC検査をパスすることが許されたマスクとなり使用されていると判断されるマスク）。
【００８２】
以下は、別の代替である。LTEにおける以前の提案によれば、PUCCHの送信電力を調整するために使用される各DL DCIの2ビットの送信電力制御（TPC）フィールドがある。すべてのアップリンク制御情報（UCI）は、PUSCH上で送信される場合については、TPCフィールドの情報は無視される。さらに、eIMTAシステムのみ、DLとULのタイミングカップリング問題が発生するので、HARQフィードバックをPUSCHで送信される場合、PUCCHの電力制御のための2ビットのTPCフィールドが常に使用されず、他の目的に使用できることになる。
【００８３】
図３のタイミング図（300）を参照するに、eNBは、次の無線フレーム（n+1）のULサブフレーム#2（305）でのPUSCHのUL伝送をスケジュールする、無線フレーム#nでサブフレーム#6（304）のULグラントを送信し、そして、同じサブフレーム#6（304）でeNBは、DL伝送スケジューリングのためのスケジューリングDL DCIを送信する。サブフレーム#6（304）には、eNBは、ULサブフレーム#2（305）に対応するUEによるPUCCH伝送があるかどうかをわかるように、ULサブフレーム#2（305）での対応するUEのためのPUCCH伝送が存在しない場合、サブフレーム#6（304）で送信されるDL DCI上のTPCフィールド（これは、元々PUCCHの電力制御のために設計されている）は使用されず、がクロスサブフレームスケジューリングのために再翻訳することができる。
【００８４】
図３のタイミング図（300）を再度参照するに、eNBは、次の無線フレーム（n+1）のULサブフレーム#2（305）でのPUSCHのUL伝送をスケジュールする、無線フレーム#nでサブフレーム#6（304）のULグラントを送信し、そして、同じサブフレーム#6（304）でeNBは、DL伝送スケジューリングのためのスケジューリングDL DCIを送信する。サブフレーム#6（304）には、eNBは、ULサブフレーム#2（305）に対応するUEによるPUCCH伝送があるかどうかをわかるように、ULサブフレーム#2（305）での対応するUEのためのPUCCH伝送が存在しない場合、（上記で議論した）CRC等がチェックするためのマスクとして、2つの16ビット配列を使用する提案は、（また上記で議論したように）クロスサブフレームスケジューリングのためにDL DCIに2ビットのTPCフィールドを使用する提案と組み合わせることができる。これら二つの提案を組み合わせることにより、PUCCHおよび/またはクロスサブフレームスケジューリングのための電力制御を可能とすることができる。つまり、最初の提案は、UEが、クロスサブフレームスケジューリングでのPDCCH/EPDCCHから自己スケジューリングでのPDCCH/EPDCCHを区別するための手段を提供する。そして、第2の提案によれば、自己スケジューリングでのPDCCH/EPDCCHにおけるTPCフィールドは、PUCCHの電力制御のために使用され、クロスサブフレームスケジューリングでのPDCCH/EPDCCHにおけるTPCフィールドは、PDSCH伝送でのサブフレームを示すために用いられる。
【００８５】
クロスサブフレームスケジューリングを可能としたLTEシステムでは、１以上のDL DCIは同じDL /特殊サブフレーム内で送信される可能性があり、そしてUEは、DL DCI自己スケジューリングに使用されるかを知ることが重要であり、そして、DL DCIはクロスサブフレームスケジューリングのために使用される。PDSCHに予定サブフレームを示すために使用することができるDL DCI2-TPCビットに加えて、LTE-TDDシステムのための2ビットフィールドのDLアサインインデックス（DL DAI）をさらにDL DCI自己スケジューリングまたはクロスサブフレームスケジューリングのために使用されているかどうかを検証するために使用することができる。この点について、LTE-TDDシステムでは、2ビットのフィールドのダウンリンクアサインインデックス（DL DAI）は、すべてのTDD UL-DL構成のすべてのDL DCIで存在している。従来のLTEの提案によれば、”DL DAIの値はダウンリンクのSPSがDL連携セット内に存在するサブフレームまでにリリースすることを示すPDCCH/EPDCCHと、割り当てられたPDSCH伝送でのPDCCH/EPDCCHとの累積数を表す。”
【００８６】
図６を参照するに、PDCCH/EPDCCH1（601）におけるDL DAIの値は「1」に設定され、PDCCH/EPDCCH2（603）内のDL DAIの値は「2」に設定され、1つのDL/スペシャルサブフレーム内の1個以下の自己スケジューリングPDSCH伝送があるはずであるから、UEは、PDCCH/EPDCCH2（603）はクロスサブフレームスケジューリング用、PDCCH/EPDCCH1（601）は自己サブフレームスケジューリング用であることを知る。したがって、自己サブフレームスケジューリングのためのDCIにおけるDL DAIの値は、クロスサブフレームスケジューリングのためのDCIにDL DAIの前にカウントすることができる。
【００８７】
本明細書及び（もしあるならば）特許請求の範囲において、「備える」などを含むその誘導体は、「備える」記載の各整数を含む1つ以上のさらなる整数の包含を排除しない。
【００８８】
「一実施形態」または「実施形態」まで本明細書全体にわたる言及は、実施形態に関連して説明された特定の特徴、構造、または特性が本発明の少なくとも1つの実施形態に含まれることを意味する。したがって、本明細書を通じて様々な箇所で「一実施形態において」または「一実施形態では」のフレーズの出現は、必ずしも全て同じ実施形態を指すわけではない。さらに、特定の特徴、構造、または特性は、1つまたはそれ以上の組合せで、任意の適切な方法で組み合わせることができる。
【００８９】
法令の遵守において、本発明は、構造的または方法的特徴の多少を言語で具体的な記載されている。本発明は、発効本発明を実施する好ましい形態を含む本明細書に記載の手段は図示又は説明した特定の特徴に限定されないことが理解されるべきである。したがって、本発明は、当業者によって適切に解釈され、添付の特許請求の範囲（もしあれば）の適切な範囲内でその形態やその変形のいずれかに記載されている。
【００９０】
この出願は、2013年6月4日に出願されたオーストラリア特許出願2013902001を基礎とする優先権を主張し、その開示内容は全体を参照して本明細書に組み込まれる。
【符号の説明】
【００９１】
100,200,200A,300,500        図
110,120  表
400  アドバンスト無線通信システム
401  基地局/eNB
402,431  TDD再構成処理
420  レガシーUE
430  リリース12以降のUE
【図１】
2018191313.tif 000064
【図２Ａ】
2018191313.tif 000065
【図２Ｂ】
2018191313.tif 000066
【図３】
2018191313.tif 000067
【図４】
2018191313.tif 000068
【図５】
2018191313.tif 000069
【図６】
2018191313.tif 000070
【図７】
2018191313.tif 000071
【図８】
2018191313.tif 000072